(57)【要約】  個別トランスポート・チャネルＤＣＨと高速下りリンク共有チャネルとの間で固定数の符号が割り当てられるセルラ無線通信システムにおいて、ＮｏｄｅＢ（５２）と移動局（１１）との間で通信される異なる信号に直交符号を動的に割り当てる装置、方法およびシステムである。無線制御装置（ＲＮＣ）（５５）は、ＨＳ−ＰＤＳＣＨ用の最小数の符号をＮｏｄｅＢ（５２）に割り当てる。ＮｏｄｅＢは、現在使用されていない符号を決定し、ＲＮＣ（５５）と通信することなく、不使用符号からＨＳ−ＰＤＳＣＨ符号に割り当てる。ＤＣＨ符号用に追加のＨＳ−ＰＤＳＣＨ符号が必要なときは、ＮｏｄｅＢは、ＨＳ−ＰＤＳＣＨ符号の数を割当てられた最小数より減少させることなく、ＤＣＨ用符号に再割当する。
2008530898.tif 000002
【特許請求の範囲】
【請求項１】
個別トランスポート・チャネルＤＣＨにいくつかの符号が割り当てられ、高速下り共有チャネルＨＳ−ＤＳＣＨにいくつかの符号が割り当てられ、無線ネットワーク制御装置（５５）が、ＨＳ−ＤＳＣＨ物理チャネル用の符号であるＨＳ−ＰＤＳＣＨ符号を、無線基地局（５２）に割り当てるセルラ無線通信装置において、前記無線基地局と移動局（１１）との間で通信される異なる情報信号に、直交符号を動的に割り当てる装置であって、
前記無線基地局内の任意符号割当手段（５１）であって、最小数のＨＳ−ＰＤＳＣＨ符号に加えて、追加のＨＳ−ＰＤＳＣＨ符号を割り当て、かつ割り当て解除する任意符号割当手段を
備えることを特徴とする装置。
【請求項２】
前記任意符号割当手段が、前記無線ネットワーク制御装置によって割り当てられたＨＳ−ＰＤＳＣＨ符号を、前記最小数のＨＳ−ＰＤＳＣＨ符号として扱うことを特徴とする請求項１記載の装置。
【請求項３】
前記任意符号割当手段が、前記無線ネットワーク制御装置によって割り当てられたＨＳ−ＰＤＳＣＨ符号に隣接するＨＳ−ＰＤＳＣＨ符号を割り当てることを特徴とする請求項１記載の装置。
【請求項４】
前記任意符号割当手段が、ＤＣＨ符号またはＨＳ−ＰＤＳＣＨ符号として利用中でない不使用符号があるか否か判断するために符号使用をモニターし、前記任意符号割当手段が、前記不使用符号から追加のＨＳ−ＰＤＳＣＨ符号を割り当てることを特徴とする請求項１記載の装置。
【請求項５】
前記任意符号割当手段が、
少なくとも１つの不使用符号があるとの判断に応じて、少なくとも１つの不使用符号を、追加のＨＳ−ＰＤＳＣＨ符号として割り当てる手段と、
前記追加のＨＳ−ＰＤＳＣＨがＤＣＨ符号として必要になったとのさらなる判断に応じて、前記ＨＳ−ＰＤＳＣＨ符号をＤＣＨ符号として再割り当てする手段と、
を含む
ことを特徴とする請求項４記載の装置。
【請求項６】
前記無線ネットワーク制御装置から修正最小数のＨＳ−ＰＤＳＣＨ符号を受ける前記基地局内の手段をさらに備えることを特徴とする請求項１記載の装置。
【請求項７】
前記無線基地局内の前記任意符号割当手段が、トリガーとなるイベントに応じて追加のＨＳ−ＰＤＳＣＨ符号を割り当てすることを特徴とする請求項１記載の装置。
【請求項８】
前記無線基地局内の前記任意符号割当手段が、所定の繰り返しパターンに従って追加のＨＳ−ＰＤＳＣＨ符号を割り当て、トリガーとなるイベントに応じて前記追加のＨＳ−ＰＤＳＣＨ符号の割り当てを解除することを特徴とする請求項１記載の装置。
【請求項９】
いくつかの符号が個別トランスポート・チャネルＤＣＨおよび高速下り共有チャネルＨＳ−ＤＳＣＨに割り当てられ、無線ネットワーク制御装置（５５）が、ＨＳ−ＤＳＣＨ物理チャネル用の符号であるＨＳ−ＰＤＳＣＨ符号を、無線基地局（５２）に割り当てるセルラ無線通信装置において、前記無線基地局と移動局（１１）との間で通信される異なる情報信号に、拡散符号を動的に割り当てる方法であって、
ＤＣＨ符号またはＨＳ−ＰＤＳＣＨ符号として利用中でない不使用符号があるか否か判断するために前記無線基地局内の符号使用をモニターし（４３）、
少なくとも１つの不使用符号があるとの判断に応じて、少なくとも１つの不使用符号を、追加のＨＳ−ＰＤＳＣＨ符号として前記無線基地局によって割り当てる
ことを特徴とする方法。
【請求項１０】
前記追加のＨＳ−ＰＤＳＣＨがＤＣＨ符号として必要になったと後に判断すること（４６）、
前記追加のＨＳ−ＰＤＳＣＨ符号をＤＣＨ符号として前記無線基地局によって再割り当てすること（４７）、
をさらに含むことを特徴とする請求項９記載の方法。
【請求項１１】
前記無線基地局が、前記無線ネットワーク制御装置と通信することなく、不使用符号を割り当ておよび再割り当てすることを特徴とする請求項１０記載の方法。
【請求項１２】
前記無線基地局が、前記無線ネットワーク制御装置によって割り当てられたＨＳ−ＰＤＳＣＨ符号を、前記無線基地局に割り当てられた最小数のＨＳ−ＰＤＳＣＨ符号として扱うことを特徴とする請求項９記載の方法。
【請求項１３】
前記無線ネットワーク制御装置から修正最小数のＨＳ−ＰＤＳＣＨ符号を前記基地局内で受けることをさらに含むことを特徴とする請求項１２記載の方法。
【請求項１４】
前記無線基地局によって少なくとも１つの不使用符号を追加ＨＳ−ＰＤＳＣＨ符号として割り当てるステップが、トリガーとなるイベントに応じて追加ＨＳ−ＰＤＳＣＨ符号を割り当てることを含むことを特徴とする請求項１２に記載の方法。
【請求項１５】
前記無線基地局によって少なくとも１つの不使用符号を追加ＨＳ−ＰＤＳＣＨ符号として割り当てるステップが、所定繰り返しパターンに従って追加ＨＳ−ＰＤＳＣＨ符号を割り当て、トリガーとなるイベントに応じて前記ＨＳ−ＰＤＳＣＨ符号の割当を解除することを特徴とする請求項１２記載の方法。
【請求項１６】
いくつかの符号が個別トランスポート・チャネルＤＣＨおよび高速下り共有チャネルＨＳ−ＤＳＣＨに割り当てられ、無線ネットワーク制御装置（５５）が、ＨＳ−ＤＳＣＨ物理チャネル用の符号であるＨＳ−ＰＤＳＣＨ符号を、無線基地局（５２）に割り当てるセルラ無線通信装置において、前記無線基地局と移動局（１１）との間で通信される異なる情報信号に、拡散符号を動的に割り当てるシステムであって、
前記無線基地局に最小数のＨＳ−ＰＤＳＣＨ符号を割り当てるために、前記無線ネットワーク制御装置（５５）内に設けれらたＨＳ−ＰＤＳＣＨ符号割当手段（５６）と、
前記無線基地局（５２）内の任意符号割当手段（５１）であって、前記無線ネットワーク制御装置と通信することなく、固定数の符号から追加のＨＳ−ＰＤＳＣＨ符号を割り当て、かつ割り当て解除する任意符号割当手段と
を備えることを特徴とするシステム。
【請求項１７】
前記任意符号割当手段（５１）が、前記固定数の符号中でＤＣＨ符号またはＨＳ−ＰＤＳＣＨ符号として利用中でない不使用符号があるか否か判断するために符号使用をモニターし、前記任意符号割当手段が、前記不使用符号から追加のＨＳ−ＰＤＳＣＨ符号を割り当て、かつ割り当て解除することを特徴とする請求項１６記載のシステム。
【請求項１８】
前記任意符号割当手段は、追加ＨＳ−ＰＤＳＣＨ符号がＤＣＨ符号として必要となったとき、追加ＨＳ−ＰＤＳＣＨ符号の割り当てを解除することを特徴とする請求項１７記載のシステム。
【請求項１９】
前記無線基地局に割り当てられたＨＳ−ＰＤＳＣＨの最少数を修正するために前記無線ネットワーク制御装置内に設けられた手段と、
前記無線ネットワーク制御装置からＨＳ−ＰＤＳＣＨ符号の修正最小数を受けるために前記無線基地局内に設けられた手段と
をさらに含むことを特徴とする請求項１６記載のシステム。
【請求項２０】
前記無線基地局内の任意符号割当手段が、トリガーとなるイベントに応じて、追加ＨＳ−ＰＤＳＣＨ符号を割り当てることを特徴とする請求項１６記載のシステム。
【請求項２１】
前記無線基地局内の前記任意符号割当手段が、所定の繰り返しパターンに従って追加のＨＳ−ＰＤＳＣＨ符号を割り当て、トリガーとなるイベントに応じて前記追加のＨＳ−ＰＤＳＣＨ符号の割り当てを解除することを特徴とする請求項１６記載のシステム。
【発明の詳細な説明】
【技術分野】
【０００１】
本発明は、概して、通信ネットワークに係わる。本発明は、特に、これに限定するわけではないが、スペクトラム拡散変調および符号分割多重アクセス（ＣＤＭＡ）技術を使用したセルラ無線通信システムにおいて異なる情報信号に直交符号を動的に割り当てる方法および装置に関する。
【背景技術】
【０００２】
典型的なＣＤＭＡセルラ無線通信システムにおいては、送信されるべき情報データストリームは、拡散符号と呼ばれることもある、非常に高いビットレートのデータストリームに重ね合わされる。各シンボルは、一般に、チップと呼ばれる。情報信号と拡散符号信号とは、典型例においては、情報信号の符号化または拡散化としばしば呼ばれるプロセスにおいて乗算によって組み合わされる。各情報信号には、独特の拡散符号が割り当てられる。同じ拡散符号内の異なる情報信号は、直交する異なった符号に分離される。すなわち、異なる情報信号は、異なる拡散符号によって単純に分離できる。
【０００３】
第３世代パートナーシップ・プロジェクト、テクニカル・スペシフィケーション・グループ無線アクセス・ネットワーク、ＲＲＣプロトコル・スペシフィケーション（３ＧＰＰ  ＴＳ  ２５．３０８，ＵＴＲＡ  高速下りリンク・パケット・アクセス（ＨＳＤＰＡ）；全体説明（Ｏｖｅｒａｌｌ  ｄｅｓｃｒｉｐｔｉｏｎ）；ステージ（Ｓｔａｇｅ）２）には、新たな下りリンク・トランスポート・チャネル、高速下りリンク共有チャネル（ＨＳ−ＤＳＣＨ）が紹介されている。ＤＣＨチャネルに比較して、ＨＳ−ＤＳＣＨは、より高い容量、より高いビットレート、より短い遅延の、より効率の良い伝送を可能にする。この概念の一般的名称は、高速下りリンク・パケット・アクセス（ＨＳＤＰＡ）である。
【０００４】
ＨＳＤＰＡは、次の５つの主要技術に基づくものである。
１．共有チャネル伝送
２．高次変調
３．リンク・アダプテーション
４．無線チャネル依存スケジューリング
５．ソフト・コンバイニング付きハイブリットＡＲＱ
【０００５】
ＨＳＤＰＡの目的は、異なる時間における異なるユーザに対するチャネル品質変動を探索し、各所与の時点における伝送を、符号化、変調、および選択された受信ユーザ条件の点から、最適化する手段を有する共通のロバスト（頑強な）チャネルを提供することにある。共有チャネル伝送は、特に不連続サービスに対して利点があり、リソースの効率的利用を可能にする。高次変調により、ピーク・データレートを高めることができ、システム容量を高めることができる。リンク・アダプテーションは、データを伝送するときに、チャネル状態を即座に考慮できるようにする。同様に、無線依存スケージューリングは、無線通信システムが、伝送リソース使用に関して良好な無線状態のユーザを、劣悪な無線状態のユーザよりも優遇することを可能にする。最後に、ソフト・コンバイニング付きハイブリット自動繰返し要求プロトコル（ＡＲＱ）は、必要な再送信数を減少でき、容量を高めることができ、より頑強なリンク・アダプテーション機能を提供できる。
【０００６】
図１は、移動局（ユーザ装置）（ＵＥ）１１、ＮｏｄｅＢ（すなわち無線基地局）１２、コントローリング無線ネットワーク制御装置（ＣＲＮＣ）１３、およびサービング無線ネットワーク制御装置（ＳＲＮＣ）の間で使用されるプロトコル・スタックおよびインターフェースを示す。ＨＳＤＰＡにおいては、追加のＭＡＣプロトコルすなわちＭＡＣ−ｈｓ１５が導入されたため、物理層がより複雑となる。ネットワーク側においては、ＭＡＣ−ｈｓプロトコルがＮｏｔｅＢ中で具現化される。ＭＡＣ−ｈｓプロトコルは、再送信プロトコル、リンク・アダプテーションおよびチャネル依存スケージュリングを含む。このように、ＨＳＤＰＡによる複雑さの増加は、ＮｏｄｅＢにおけるこのインテリジェント層２プロトコルの導入に関係するものである。
【０００７】
図２は、直交可変拡散率（ＯＶＳＦ）符号割当ツリー２１および高速物理下りリンク共有チャネル（ＨＳ−ＰＤＳＣＨ）符号の可能な割当を示す。ＯＶＳＦ符号ツリーは、特定の拡散符号に対して異なった伝送信号を分離する方法を示す。ＨＳ−ＤＳＣＨは、個別チャネル、制御チャネルおよびパイロット・チャネルに使用されたのと同じ直交符号ツリーおよび同じ拡散符号を使用できるようにする。３ＧＰＰでは、ＨＳ−ＤＳＣＨ割当は、それぞれ拡散率（ＳＦ）−１６の最大１５個の（ＨＳ−ＰＤＳＣＨ）符号２２を有することができると明記されている。トランスポート・チャネルＨＳ−ＤＳＣＨは、それぞれ１つのＳＦ−１６符号を使用する１つまたは数個の物理チャネルにマップされる。同様に、個別トランスポート・チャネル（ＤＣＨ）は、ＳＦ２５６からＳＦ４の範囲の特定のＳＦを使用する個別物理チャネル（ＤＰＣＨ）にマップされる。符号ツリーは、１６個のＳＦ−１６符号を含む。従って、最大１５個のＨＳ−ＰＤＳＣＨチャネルが割り当てられるとき、１つのＳＦ−１６符号２３のみが、他のチャネルのために残る。この他のチャネルのために割り当てられたＳＦ−１６符号２３は、個々のチャネルのためにさらに拡散される。図２は、ＳＦ−２５６へのこの拡散を示す。
【０００８】
図２は、符号ツリー中の異なる位置にマップされるトランスポート・チャネルのいくつかの例、すなわち、主共通パイロット・チャネル（Ｐ−ＣＰＩＣＨ）、報知制御チャネル（ＢＣＨ）、ページング・チャネル（ＰＣＨ）、ページ・インディケーション・チャネル（ＰＩＣＨ）、捕捉（Ａｃｑｕｉｓｉｔｉｏｎ）インディケータ・チャネル（ＡＩＣＨ）、高速共有制御チャネル（ＨＳ−ＳＣＣＨ）、ならびに付随（ａｓｓｏｃｉａｔｅｄ）個別チャネル（Ａ−ＤＣＨ）と呼ばれるいくつかの低拡散率個別チャネルを示す。
【０００９】
ＨＳ−ＤＳＣＨチャネルに利用できる拡散符号の数は、もちろん、妥協の産物である。ＨＳ−ＤＳＣＨチャネルのために割り当てる符号数を増やせば、音声接続または画像接続のような個別トランスポート・チャネル（ＤＣＨ）に割り当てることができるチャネル数は少なくなる。従って、ＤＣＨに対する要求が大きいときには、ＨＳ−ＤＳＣＨチャネルに対する符号割当を少なくすることが、サービスの利用可能性の観点から好ましい。他方、ＨＳＤＰＡ伝送により多くのユーザが割り当てられているときには、多くのＨＳ−ＰＤＳＣＨ符号を割り当てることが好ましい。何故なら、これにより、高いビットレート接続を行うことができ、エンドユーザ体験（ｅｎｄ−ｕｓｅｒ  ｅｘｐｅｒｉｅｎｃｅ）を増大させることができるからである。
【００１０】
ＣＲＮＣは、符号ツリー全体の状況を制御する。従って、ＨＳ−ＤＳＣＨの構成（ｃｏｎｆｉｇｕｒａｔｉｏｎ）、すなわち、いくつの（ＳＦ−１６）符号を使用すべきかを指示する。ＣＲＮＣは、３ＧＰＰに明記されたＮＢＡＰプロトコルでＩｕｂインターフェース１６を介してこれを制御し、ＨＳ−ＤＳＣＨは、ＮｏｄｅＢ１２に送られる構成メッセージに従ってセットアップされる。しかしながら、上記割当を行うアルゴリズムは、規格化されておらず、異なるアプローチを使用できる。例えば、ＨＳＤＰＡ伝送に固定数の符号を割り当て、割当に対するあらゆる変更は、システム・オペレータによる再構成を必要とするという静的態様で行うこともできる。拡散符号割当は、例えば、ＲＮＣおよびＮｏｄｅＢ中の測定値（ｍｅａｓｕｒｅｍｅｎｔ）に基づいてＣＲＮＣによって動的に割り当てることもできる。
【００１１】
これら、既存の拡散符号割当方法のいずれにも欠点がある。ＨＳ−ＰＤＳＣＨ符号の固定的構成では、妥協が必要である。ＨＳ−ＰＤＳＣＨ符号の割当は、到来ＨＳ−ＤＳＣＨトラフィックを取り扱うのに十分な大きさがなければならない。他方、この割当は、高いＤＣＨブロッキング（ｂｌｏｃｋｉｎｇ）を防ぐに十分な程小さくなければならない。トラフィックが変動する環境では、動的アプローチが必要である。
【００１２】
符号を動的に最適に割り当てようとすれば、ＲＮＣは、ＮｏｄｅＢ性能およびＨＳ−ＰＤＳＣＨ符号の使用に関するＮｏｄｅＢからの情報を必要とする。さらに、ＲＮＣ中の動的割当アルゴリズムは、例えばＤＣＨブ符号ロッキングのレートのようなＲＮＣからのいくつかの基準だけでなく、例えばパワー利用可能性のようなＮｏｄｅＢからのいくつかの基準も考慮しなければならない。さらに、アルゴリズムがＨＳ−ＰＤＳＣＨ符号の割当数を（例えば、単一のイベントに応じて）非常に頻繁に変更すると、割当（ａｌｌｏｃａｔｉｏｎ）および割当解除（ｄｅ−ａｌｌｏｃａｔｉｏｎ）が非常に集中し（ｂｕｒｓｔｙ）、Ｉｕｂインターフェース上を過度の信号が流れることになる。しかし、割当速度が非常に遅いと、固定アプローチで生じた問題がより多く生じることになる。従って、アルゴリズムは、最適な割当速度を見出すよう試行しなければならない。従って、構成が非常に複雑となる。
【発明の開示】
【発明が解決しようとする課題】
【００１３】
従って、ＤＣＨチャネルとＨＳ−ＰＤＳＣＨの間の拡散符号の割当を効率的に最適にする装置および方法が必要である。本発明は、このような装置および方法を提供するものである。
【課題を解決するための手段】
【００１４】
本発明は、ある面では、いくつかの符号が個別トランスポート・チャネル（ＤＣＨ）と高速下りリンク共有チャネル（ＨＳ−ＤＳＣＨ）との間で割り当てられ、無線ネットワーク制御装置がＨＳ−ＤＳＣＨのための符号を無線基地局に割り当てるセルラ無線通信システムにおいてＮｏｄｅＢ（すなわち無線基地局）と移動局との間の異なる情報信号に直交信号を動的に割り当てる装置に係わる。本発明による装置は、無線ネットワーク制御装置から与えられるいくつかの符号に加えて、ＨＳ−ＤＳＣＨ用に追加の符号を割り当て、かつ割り当て解除する無線基地局内の任意符号割当手段を備えることを特徴とする。任意符号割当手段は、無線ネットワーク制御装置によって割り当てられたＨＳ−ＰＤＳＣＨ符号を、無線基地局に割り当てられる最小数のＨＳ−ＰＤＳＣＨ符号として扱い、無線ネットワーク制御装置と通信することなく、不使用符号を割り当て、かつ再割り当てする。
【００１５】
本発明の他の面では、ＨＳ−ＤＳＣＨ用の符号（ＨＳ−ＰＤＳＣＨ符号）および他のトランスポート・チャネルに使用される符号は、ＮｏｄｅＢ中のＨＳ−ＰＤＳＣＨ符号の追加ができるだけ効率的となるように、無線ネットワーク制御装置内で割り当てられる。
【００１６】
本発明のさらに別の面は、セルラ無線通信システムにおいて異なった信号に直交信号を動的に割り当てる方法に係わる。本発明による方法は、いくつかの符号の中でＤＣＨ符号またはＨＳ−ＰＤＳＣＨ符号として利用中ではない不使用符号が無いかを判断するために、無線基地局中の符号使用をモニターするステップと、少なくとも１つの不使用符号があると判断したときに、少なくとも１つの不使用符号を、追加のＨＳ−ＰＤＳＣＨ符号として、基地局によって割り当てるステップと、上記追加のＨＳ−ＰＤＳＣＨ符号がＤＣＨ符号として必要になったと後に判断したときに、上記追加のＨＳ−ＰＤＳＣＨ符号を解放して、ＤＣＨ割当用に利用可能にするステップとを含む。
【００１７】
本発明のさらに別の面は、セルラ無線通信ネットワークにおいて、異なった情報信号に直交符号を動的に割り当てるシステムに係わる。無線基地局に最小数のＨＳ−ＰＤＳＣＨ符号を割り当てるために無線ネットワーク制御装置内に設けられたＨＳ−ＰＤＳＣＨ符号割当手段と、無線ネットワーク制御装置から割り当てられたいくつかの符号に加えて、無線ネットワーク制御装置と通信することなく、追加のＨＳ−ＰＤＳＣＨ符号を割り当て、かつ割り当て解除するために、無線基地局内に設けられた任意符号割当手段とを含む。
【発明を実施するための最良の形態】
【００１８】
図３は、本発明の一面が示されるＯＶＳＦ符号割当ツリー３１を示す図である。本発明においては、最小数のＨＳ−ＰＤＳＣＨがセルに割当てられる。例えば、図３においては、最小数のＨＳ−ＰＤＳＣＨ符号として５つの符号が割り当てられている。この割当ては、好ましくは、共有チャネル構成メッセージを使用してＲＮＣから行われる。このようにして、ＲＮＣは、各所与のセルに割り当てられる最小数のＨＳ−ＰＤＳＣＨを制御する。この割当ては、固定とすることもできるし、ＲＮＣ中の符号割当アルゴリズムを介して動的に操縦することもできる。
【００１９】
しかしながら、符号ツリーにスペースがあり、かつＮｏｄｅＢが特定期間の間に５つより多くのＨＳ−ＰＤＳＣＨ符号でセルをサービスできる能力があるならば、ＮｏｄｅＢは、ＲＮＣに連絡しそこからリソースを要求することなく、追加のＨＳ−ＰＤＳＣＨ符号を動的に割り当てることができる。例えば、ＲＮＣが７つのＳＦ−１６符号位置を占めるＤＣＨを割り当てていれば、ＮｏｄｅＢは、いくつかの送信時間インターバルの間に、ＨＳ−ＰＤＳＣＨ符号の数を８つまで動的に増加させることができる。この処理は、ＲＮＣに通知することなく、ＮｏｄｅＢ内で行うことができる。
【００２０】
ＮｏｄｅＢは、ＨＳ−ＰＤＳＣＨ符号がＤＣＨに必要になれば、これらの符号の割当をほとんど即座に”解除”することができる。ＮｏｄｅＢは、不使用符号をこれらが使用されていない限り“借りる”ことができ、従って、ＨＳ−ＰＤＳＣＨ符号の割り当ておよび割り当て解除のためにＲＮＣ中の複雑な割当アルゴリズムを使用する必要なく、ＨＳ−ＰＤＳＣＨの送信効率を高めることができる。ＤＣＨに対する要求が高まると、ＮｏｄｅＢは、最小の５つのＨＳ−ＰＤＳＣＨに到達するまで、必要数のＤＣＨを提供するために、追加すなわち“借りた”ＨＳ−ＰＤＳＣＨ符号の割当を即座に減少させる。例えば、ＤＣＨの必要数が、ＤＣＨ用の１０個のＳＦ−１６レベル符号まで増加すると、ＮｏｄｅＢは、ＨＳ−ＰＤＳＣＨ符号の割当を最小の５つのＨＳ−ＰＤＳＣＨまで即座に戻るように減少させる。
【００２１】
ＲＮＣが、固定数のＨＳ−ＰＤＳＣＨ符号を割り当てるシステムにおいては、ＮｏｄｅＢは、ＲＮＣの固定割当をＨＳ−ＰＤＳＣＨ符号の最小割当として扱うことができる。追加のＨＳ−ＰＤＳＣＨ符号が必要で且つ可能ならば、ＮｏｄｅＢはそれらを動的に割り当てる。追加の符号がＤＣＨに対して必要ならば、ＮｏｄｅＢは追加のＨＳ−ＰＤＳＣＨ符号の割当を解除する。
【００２２】
コントローリングＲＮＣがいくつかのＨＳ−ＰＤＳＣＨ符号を動的に割り当てるシステムにおいては、ＮｏｄｅＢは、ＲＮＣからの割当変化を、ＨＳ−ＰＤＳＣＨの最小数の調整として扱う。そして、ＲＮＣが最小数のＨＳ−ＰＤＳＣＨを動的に割り当てているときであっても、ＮｏｄｅＢは、追加のＨＳ−ＰＤＳＣＨ符号を動的に割り当て、かつ割り当てを解除する。ＲＮＣにとって、最小数のＨＳ−ＰＤＳＣＨ符号を動的に割り当てるタスクは、ちょうど良い数の符号を適切に割り当てるタスク（これは、最適に動作するためにＮｏｄｅＢからの大量の情報を必要とする）より非常に単純である。最小セットのＨＳ−ＰＤＳＣＨ符号は、例えばＤＣＨブロッキング情報や異なる種類のサービスに対するトラフィック量のようなＲＮＣ中で既に使用可能な情報によってより好ましく管理される。
【００２３】
ＵＥは、ＨＳ−ＰＤＳＣＨを解読するためにＲＮＣからの情報を必要としない。ＨＳ−ＰＤＳＣＨに割り当てられている符号の情報は、ＮｏｄｅＢが完全に制御できるＨＳ−ＰＤＳＣＨ符号情報を含めて、ＨＳ−ＳＣＣＨ上で伝えられる。
【００２４】
本発明による解決方法は、ＤＣＨのために符号が必要なときには、ＮｏｄｅＢが“借りた”ＨＳ−ＰＤＳＣＨ符号を十分迅速に割り当て解除できることが必要である。一実施例においては、ＮｏｄｅＢが到来ＤＣＨリクエストに対して十分速くリソースを開放できるようにするために、ＮｏｄｅＢは、ＨＳ−ＰＤＳＣＨのために使用されないかもしれない予め定められた符号またはいくつかの符号を、ＤＣＨ割当のために必要かどうかに係わらず、一時記憶（バッファ）できるようにする。例えば、ＮｏｄｅＢは、このためにＳＦ−８符号を一時記憶できる。
【００２５】
さらに、本発明の一実施例においては、ＮｏｄｅＢが追加を許容されるＨＳ−ＰＤＳＣＨ符号の数を制限できる。これは、また、セル中のＨＳ−ＰＤＳＣＨ符号の最大数が特定値を越えてはいけないことを示すパラメータによって行うこともできる。
【００２６】
ＨＳ−ＰＤＳＣＨ符号は、符号ツリーの一方の側から連続的に割り当てられる。本発明は、好ましくは、ＨＳ−ＰＤＳＣＨ符号を、符号ツリーの反対側から、ＤＣＨに割り当てる。３ＧＰＰ規格によれば、主共通パイロット・チャネル（Ｐｒｉｍａｒｙ  Ｃｏｍｍｏｎ  Ｐｉｌｏｔ  Ｃｈａｎｎｅｌ）は、符号ツリーの特定の位置を有しなければならず、ＢＣＨは符号ツリーの別の位置を有しなければならない。他のチャネルは、目的に応じて決定できる。ＨＳ−ＤＳＣＨに対する符号追加の観点からすると、ＨＳ−ＤＳＣＨに対する割当と他のチャネルに対する割当とをできるだけ大きく分離することが好ましい。このように分離することにより、現存のＨＳ−ＤＳＣＨ割当に隣接した低負荷状態の不使用符号を検出する確率が高まり、ＨＳ−ＰＤＳＣＨ符号を増加するためにこのような符号をＨＳ−ＤＳＣＨに追加することができる。一実施例においては、ＲＮＣは、ＨＳ−ＰＤＳＣＨ符号に隣接した連続自由符号が存在する可能性を高めるためにユーザを積極的に再割当する方策をとることができる。
【００２７】
図４Ａおよび図４Ｂは、本発明による方法の一実施例の各部のステップを示す流れ図である。ステップ４１において、コントローリングＲＮＣは、いくつかのＨＳ−ＰＤＳＣＨ符号をＮｏｄｅＢに割り当てる。ＮｏｄｅＢは、この割当を最小の割当とみなす。ＮｏｄｅＢにおける追加符号割当アルゴリズムは、例えば、無線ネットワーク制御装置からの追加ＤＣＨリクエスト、あるいは符号利用可能性にインパクトを与える可能性のある他のイベントのような特定のイベントによってトリガーされる。このようにする代わりに、ＮｏｄｅＢにおいて追加符号を割り当てるアルゴリズムは、周期的態様で動作してもよく、また繰返しサイクルとイベントの組合せで動作しても良い。本発明の別の実施例においては、ＮｏｄｅＢは、トリガーとなるイベントに応じて、あるいは周期的にすなわち所定の繰返しパターンに従って、追加のＨＳ−ＰＤＳＣＨ符号を割り当てる。繰返しパターンは、例えばＤＣＨ割当のためにＲＮＣから生じる符号リクエストのようなトリガーとなるイベントに基づいてＨＳ−ＰＤＳＣＨ符号を即座に割当解除するアルゴリズムと組み合わせて使用されることが好ましい。一実施例においては、アルゴリズムがＨＳ−ＤＳＣＨ割当に周期的に符号を追加するが、イベント・ドリブン態様でＨＳ−ＤＳＣＨ割当に対する符号を低減する。
【００２８】
割当アルゴリズムは、ステップ４２でスタートする。ステップ４３において、ＮｏｄｅＢはＯＶＳＦ符号ツリー中で利用可能な不使用符号があるか判断する。無ければ、手順はステップ４５で終了する。ステップ４３で、符号ツリー中でＳＦ−１６レベルで利用可能な不使用符号があると判断されると、処理はステップ４４に進み、ここでＮｏｄｅＢは符号ツリー中の不使用符号位置から追加のＨＳ−ＰＤＳＣＨ符号を割り当てる。符号を割り当てる前に、ＮｏｄｅＢは、追加を行うことがサポートされているか、ハードウェアおよびインターフェース上の帯域利用可能性のような他の基準をチェックすることができる。ステップ４５で、この手順は終了する。
【００２９】
図４Ｂは、アルゴリズムがＲＮＣからのＤＣＨ増加によってトリガーされたときのフローチャート部分の一例を示す。ステップ４６において、現在ＨＳ−ＰＤＳＣＨのために利用されている“借用”符号が、ＤＣＨのために必要と判断される。ステップ４７において、ＮｏｄｅＢは、“借用”ＨＳ−ＰＤＳＣＨ符号の割当を解除し、それを必要な各ＤＣＨ符号に再割当する。この実施例においては、ＮｏｄｅＢは、無線ネットワーク制御装置が情報を持っていない追加の“借用”符号を制御し続けることを必要とされるだけである。従って、ＮｏｄｅＢが、無線ネットワーク制御装置によって最少数の符号として提供されたＨＳ−ＰＤＳＣＨ符号の数の変更をリクエストする必要はない。このことは、ＨＳ−ＰＤＳＣＨ符号が、ＮｏｄｅＢ中の最小数、すなわち無線ネットワーク制御装置が割り当てられていると認識している符号の数に到達したときに、ＲＮＣはＤＣＨのためのリソースをリクエストしないことを意味する。
【００３０】
ＨＳ−ＰＤＳＣＨ符号がＲＮＣによって動的に割り当てられているときには、この割当は、新たな共有チャネル構成メッセージを介して通信される。
【００３１】
図５は、本発明の装置の実施例をに示す概略ブロック図である。この装置は、修正ＮｏｄｅＢ５２内で具現化される任意ＨＳ−ＰＤＳＣＨ割当アルゴリズム（ＤＨＳＡＡ）５１を含む。例えば音声または画像の（ＤＣＨの）接続のためのリソース・リクエスト５３がＣＲＮＣ５５に到着すると、ＣＲＮＣ５５中に管理制御機能５４が生成され、ＲＮＣ符号割当機能５６がチェックされる。管理制御機能は、また、利用できるパワーがあるか判断する。ＲＮＣ符号割当機能が、現在のＤＣＨ負荷によるとＤＣＨ符号が利用可能であることを示し、ＨＳ−ＰＤＳＣＨ割当５７がＮｏｄｅＢに送られると、ＣＲＮＣは、セットアップ・リクエストとともにＤＣＨリソース・リクエスト５８を送る。同様に、接続が解放されると、ＣＲＮＣはこのメッセージをＮｏｄｅＢにパスする。本発明の一実施例においては、これらＤＣＨリソース制御メッセージがＤＨＳＡＡアルゴリズム５１のトリガーとなることができる。
【００３２】
さらに、ＣＲＮＣ５５内において、ＲＮＣ符号割当機能５６は、ＮｏｄｅＢ５２内で構成されるべきＨＳ−ＰＤＳＣＨ符号の量も決定できる。これは、現在のトラフィックの測定値あるいはトラフィックの予測値に依存する。ＨＳ−ＰＤＳＣＨ割当５７は、ＮｏｄｅＢに対する最小ＨＳ−ＰＤＳＣＨ割当を決定する。最小ＨＳ−ＰＤＳＣＨは、ＮｏｄｅＢ中のＤＨＳＡＡ５１に送られ、ここで最小ＨＳ−ＰＤＳＣＨ割当は、追加のＨＳ−ＰＤＳＣＨ割当の基礎として使用される。ＤＨＳＡＡには、ＨＳ−ＰＤＳＣＨ符号割当およびＤＣＨ必要性に関する情報が提供され、ＤＨＳＡＡは、該情報に基づき、符号利用可能性に従って、ＨＳ−ＰＤＳＣＨを追加し、ＤＣＨリクエストがそのように要求しているならば、前に追加されたＨＳ−ＰＤＳＣＨ符号を除去する。
【００３３】
本発明は、ハードウェア、またはソフトウェア、またはこれら双方により実施できること、さらにソフトウェアで実施する場合には、種々の言語およびデータ構造で実施できることは、当業者には、容易に理解できるであろう。本発明は、特定の言語および／または言語のクラスに限定されず、単一データ構造による実施に限定されない。
【００３４】
本発明は、その本質から逸脱することなく、前述した態様とは異なる他の態様で実施できるのはもちろんである。前述の実施例は、全て例示であり、本発明はこれに限定されず、特許請求の範囲の請求項の意味および均等範囲の全ての変更を含むものである。
【図面の簡単な説明】
【００３５】
【図１】既存の無線アクセス・ネットワークと移動局（ユーザ装置）（ＵＥ）との間で使用されるプロトコル・スタックとインターフェース（従来技術）を示す概略ブロック図である。
【図２】典型的直交可変拡散率（ＯＶＳＦ）符号割当ツリーとＨＳ−ＰＤＳＣＨ符号用に可能な割当（従来技術）を示す説明図である。
【図３】本発明の一面によるＯＶＳＦ符号割当ツリーを示す概略図である。
【図４Ａ】本発明の方法の一実施例のステップを示す流れ図の一部である。
【図４Ｂ】本発明の方法の一実施例のステップを示す流れ図の他の部分である。
【図５】本発明の装置の実施例を示す概略ブロック図である。
【図１】
2008530898.tif 000003
【図２】
2008530898.tif 000004
【図３】
2008530898.tif 000005
【図４Ａ】
2008530898.tif 000006
【図４Ｂ】
2008530898.tif 000007
【図５】
2008530898.tif 000008
【手続補正書】
【提出日】平成19年5月4日(2007.5.4)
【手続補正１】
【補正対象書類名】特許請求の範囲
【補正対象項目名】全文
【補正方法】変更
【補正の内容】
【特許請求の範囲】
【請求項１】
個別トランスポート・チャネルＤＣＨにいくつかの符号が割り当てられ、高速下り共有チャネルＨＳ−ＤＳＣＨにいくつかの符号が割り当てられ、無線ネットワーク制御装置（５５）が、ＨＳ−ＤＳＣＨ物理チャネル用の符号であるＨＳ−ＰＤＳＣＨ符号を、無線基地局（５２）に割り当てるセルラ無線通信装置において、前記無線基地局と移動局（１１）との間で通信される異なる情報信号に、直交符号を動的に割り当てる装置であって、
前記無線基地局内の任意符号割当手段（５１）であって、前記無線ネットワーク制御装置と通信することなく、最小数のＨＳ−ＰＤＳＣＨ符号に加えて、追加のＨＳ−ＰＤＳＣＨ符号を割り当て、かつ割り当て解除する任意符号割当手段を備え、
前記任意符号割当手段が、前記無線ネットワーク制御装置によって割り当てられたＨＳ−ＰＤＳＣＨ符号を、前記最小数のＨＳ−ＰＤＳＣＨ符号として扱うことを特徴とする装置。
【請求項２】
前記任意符号割当手段が、前記無線ネットワーク制御装置によって割り当てられたＨＳ−ＰＤＳＣＨ符号に隣接するＨＳ−ＰＤＳＣＨ符号を割り当てることを特徴とする請求項１記載の装置。
【請求項３】
前記任意符号割当手段が、ＤＣＨ符号またはＨＳ−ＰＤＳＣＨ符号として利用中でない不使用符号があるか否か判断するために符号使用をモニターし、前記任意符号割当手段が、前記不使用符号から追加のＨＳ−ＰＤＳＣＨ符号を割り当てることを特徴とする請求項１記載の装置。
【請求項４】
前記任意符号割当手段が、
少なくとも１つの不使用符号があるとの判断に応じて、少なくとも１つの不使用符号を、追加のＨＳ−ＰＤＳＣＨ符号として割り当てる手段と、
前記追加のＨＳ−ＰＤＳＣＨがＤＣＨ符号として必要になったとのさらなる判断に応じて、前記ＨＳ−ＰＤＳＣＨ符号をＤＣＨ符号として再割り当てする手段と、
を含む
ことを特徴とする請求項３記載の装置。
【請求項５】
前記無線ネットワーク制御装置から修正最小数のＨＳ−ＰＤＳＣＨ符号を受ける前記基地局内の手段をさらに備えることを特徴とする請求項１記載の装置。
【請求項６】
前記無線基地局内の前記任意符号割当手段が、トリガーとなるイベントに応じて追加のＨＳ−ＰＤＳＣＨ符号を割り当てすることを特徴とする請求項１記載の装置。
【請求項７】
前記無線基地局内の前記任意符号割当手段が、所定の繰り返しパターンに従って追加のＨＳ−ＰＤＳＣＨ符号を割り当て、トリガーとなるイベントに応じて前記追加のＨＳ−ＰＤＳＣＨ符号の割り当てを解除することを特徴とする請求項１記載の装置。
【請求項８】
いくつかの符号が個別トランスポート・チャネルＤＣＨおよび高速下り共有チャネルＨＳ−ＤＳＣＨに割り当てられ、無線ネットワーク制御装置（５５）が、ＨＳ−ＤＳＣＨ物理チャネル用の符号であるＨＳ−ＰＤＳＣＨ符号を、無線基地局（５２）に割り当てるセルラ無線通信装置において、前記無線基地局と移動局（１１）との間で通信される異なる情報信号に、拡散符号を動的に割り当てる方法であって、
ＤＣＨ符号またはＨＳ−ＰＤＳＣＨ符号として利用中でない不使用符号があるか否か判断するために前記無線基地局内の符号使用をモニターし（４３）、
少なくとも１つの不使用符号があるとの判断に応じて、前記無線ネットワーク制御装置と通信することなく、少なくとも１つの不使用符号を、追加のＨＳ−ＰＤＳＣＨ符号として前記無線基地局によって割り当て、前記無線ネットワーク制御装置によって割り当てられたＨＳ−ＰＤＳＣＨ符号を、前記無線基地局に割り当てられた最小数のＨＳ−ＰＤＳＣＨ符号として扱う
ことを特徴とする方法。
【請求項９】
前記追加のＨＳ−ＰＤＳＣＨがＤＣＨ符号として必要になったと後に判断すること（４６）、
前記追加のＨＳ−ＰＤＳＣＨ符号をＤＣＨ符号として前記無線基地局によって再割り当てすること（４７）、
をさらに含むことを特徴とする請求項８記載の方法。
【請求項１０】
前記無線ネットワーク制御装置から修正最小数のＨＳ−ＰＤＳＣＨ符号を前記基地局内で受けることをさらに含むことを特徴とする請求項８記載の方法。
【請求項１１】
前記無線基地局によって少なくとも１つの不使用符号を追加ＨＳ−ＰＤＳＣＨ符号として割り当てるステップが、トリガーとなるイベントに応じて追加ＨＳ−ＰＤＳＣＨ符号を割り当てることを含むことを特徴とする請求項８に記載の方法。
【請求項１２】
前記無線基地局によって少なくとも１つの不使用符号を追加ＨＳ−ＰＤＳＣＨ符号として割り当てるステップが、所定繰り返しパターンに従って追加ＨＳ−ＰＤＳＣＨ符号を割り当て、トリガーとなるイベントに応じて前記ＨＳ−ＰＤＳＣＨ符号の割当を解除することを特徴とする請求項８記載の方法。
【請求項１３】
いくつかの符号が個別トランスポート・チャネルＤＣＨおよび高速下り共有チャネルＨＳ−ＤＳＣＨに割り当てられ、無線ネットワーク制御装置（５５）が、ＨＳ−ＤＳＣＨ物理チャネル用の符号であるＨＳ−ＰＤＳＣＨ符号を、無線基地局（５２）に割り当てるセルラ無線通信装置において、前記無線基地局と移動局（１１）との間で通信される異なる情報信号に、拡散符号を動的に割り当てるシステムであって、
前記無線基地局に最小数のＨＳ−ＰＤＳＣＨ符号を割り当てるために、前記無線ネットワーク制御装置（５５）内に設けれらたＨＳ−ＰＤＳＣＨ符号割当手段（５６）と、
前記無線基地局（５２）内の任意符号割当手段（５１）であって、前記無線ネットワーク制御装置と通信することなく、固定数の符号から追加のＨＳ−ＰＤＳＣＨ符号を割り当て、かつ割り当て解除し、前記無線ネットワーク制御装置によって割り当てられたＨＳ−ＰＤＳＣＨ符号を、最小数のＨＳ−ＰＤＳＣＨ符号として扱う任意符号割当手段と
を備えることを特徴とするシステム。
【請求項１４】
前記任意符号割当手段（５１）が、前記固定数の符号中でＤＣＨ符号またはＨＳ−ＰＤＳＣＨ符号として利用中でない不使用符号があるか否か判断するために符号使用をモニターし、前記任意符号割当手段が、前記不使用符号から追加のＨＳ−ＰＤＳＣＨ符号を割り当て、かつ割り当て解除することを特徴とする請求項１３記載のシステム。
【請求項１５】
前記任意符号割当手段は、追加ＨＳ−ＰＤＳＣＨ符号がＤＣＨ符号として必要となったとき、追加ＨＳ−ＰＤＳＣＨ符号の割り当てを解除することを特徴とする請求項１４記載のシステム。
【請求項１６】
前記無線基地局に割り当てられたＨＳ−ＰＤＳＣＨの最少数を修正するために前記無線ネットワーク制御装置内に設けられた手段と、
前記無線ネットワーク制御装置からＨＳ−ＰＤＳＣＨ符号の修正最小数を受けるために前記無線基地局内に設けられた手段と
をさらに含むことを特徴とする請求項１３記載のシステム。
【請求項１７】
前記無線基地局内の任意符号割当手段が、トリガーとなるイベントに応じて、追加ＨＳ−ＰＤＳＣＨ符号を割り当てることを特徴とする請求項１３記載のシステム。
【請求項１８】
前記無線基地局内の前記任意符号割当手段が、所定の繰り返しパターンに従って追加のＨＳ−ＰＤＳＣＨ符号を割り当て、トリガーとなるイベントに応じて前記追加のＨＳ−ＰＤＳＣＨ符号の割り当てを解除することを特徴とする請求項１３記載のシステム。
【国際調査報告】
2008530898.tif 000009
2008530898.tif 000010
2008530898.tif 000011